(57)【特許請求の範囲】
【請求項１】
構造物の壁体と、その軒方向側に樋が配置される傾斜屋根との隣接部分樋側に取り付けられる壁止り役物であって、
少なくとも、底板と、該底板の軒方向側縁と対向して立設する誘導板を有し、
前記誘導板は、その全部または一部から前記底板側へ向いた庇部をもつ防御壁を有し、前記防御壁は、前記庇部の先端若しくはその周辺から下方へ垂下する垂下壁を有することを特徴とする壁止り役物。
【請求項２】
壁体と、その軒方向側に樋が配置される傾斜屋根との隣接部分に取り付けられる雨押え役物と、該雨押え役物の軒方向側に壁止り役物を配置するものであって、
前記壁止り役物の誘導板は、前記雨押え役物の軒方向端縁と対向する位置に立設し、防御壁は前記雨押え役物の主板の表面より上方に位置することを特徴とする請求項１記載の壁止り役物を備えた屋根構造。
【請求項３】
壁体と、その軒方向側に樋が配置される傾斜屋根との隣接部分に取り付けられる雨押え役物と、該雨押え役物の軒方向側に壁止り役物を配置するものであって、
壁体は、外壁と構造壁とからなり、前記外壁と前記構造壁との間に通気層を有し、前記構造壁は傾斜屋根と接合し、前記外壁の下端はその一部又は全部が前記雨押え役物の上面から所定間隔を空けた通気口を有する通気構造であって、
前記壁止り役物は、少なくとも、底板と、該底板の軒方向側縁と対向して立設する誘導板を有し、前記誘導板は、その全部または一部から前記底板側へ向いた庇部をもつ防御壁を有し、
前記防御壁は、前記外壁の下端よりも上方に位置することを特徴とする壁止り役物を備えた屋根構造。
【請求項４】
雨押え役物は、少なくとも傾斜屋根と壁体との隣接部分に顕出する主板と、該主板が前記壁体と隣接する端部のもう一方の端部から前記傾斜屋根の表面に延長して接するツバ部を有し、
誘導板は、前記主板と対向する部分においては前記主板の軒方向端縁若しくは前記壁体の下端から、前記ツバ部と対向する部分においては前記ツバ部の軒方向端縁から、前記傾斜屋根の勾配に沿って前記誘導板まで軒方向へ延長させた位置より上側に、上側延長部を有することを特徴とする請求項２または３のいずれかに記載の壁止り役物を備えた屋根構造。
【請求項５】
誘導板は、雨押え役物のツバ部の先端から誘導板まで軒方向へ延長した位置から、前記ツバ部の延長方向と同じ方向に延長し、前記ツバ部の先端まで若しくはそれよりも延長した横側延長部を有することを特徴とする請求項２、３または４のいずれかに記載の壁止り役物を備えた屋根構造。
【発明の詳細な説明】
【技術分野】
【０００１】
本発明は、建物の壁体に隣接する傾斜屋根において、雨水がその隣接付近において流れる流水を適切に樋部へ導き、流水の壁体への浸入を防ぐものであり、特に、通気口や通気層を用いた壁体でも流水の浸入を防止可能にする屋根構造に関する。
【背景技術】
【０００２】
図１２に示すように、構造物１０１には、その壁体１０８から一部張り出した張り出し部分１０４を有する場合がある。この場合、当該張り出し部分１０４の傾斜屋根１０３が構造物１０１本体の壁体１０８に隣接する。この傾斜屋根１０３と壁体１０８との隣接部分１０５、１０５において、雨水を軒先の樋１０６に適切に導くために、従来、特許文献１に記載の雨押え役物や壁止り役物を取り付ける屋根構造が存在した。
【先行技術文献】
【特許文献】
【０００３】
【特許文献１】実公昭６１−１１３８２６号公報
【発明の概要】
【発明が解決しようとする課題】
【０００４】
従来技術に関する屋根構造及び壁止り役物は、風雨が激しい場合に、隣接部分１０５、１０５に流れる流水を適切に樋１０６に導くことができない場合があった。特に、壁体１０８に通気口を有する通気構造では、通気口（外壁）の下端を雨水が伝って流れる小口流下水が発生することがあり、この小口流下水が樋１０６を超えてしまったり、壁体の通気層に浸入することもあった（図１１参照）。
また、従来、通気構造の壁体１０８に壁止り役物を配置する場合に、その誘導板を配置する部分の外壁１０２を切り欠き、その下端１０２ａを養生テープ等で堰止めしてシーリングをしていたが、手間がかかる手法であったため、ヘラ押さえなどの工程できれいに納められなかった。
【課題を解決するための手段】
【０００５】
そこで、本発明の壁止り役物は、構造物の壁体と、その軒方向側に樋が配置される傾斜屋根との隣接部分樋側に取り付けられるものであって、少なくとも、底板と、該底板の軒方向側縁と対向して立設する誘導板を有し、前記誘導板は、その全部または一部から前記底板側へ向いた庇部をもつ防御壁を有し、前記防御壁は、前記庇部の先端若しくはその周辺から下方へ垂下する垂下壁を有することを特徴とするものである。
【０００７】
また、壁体と、その軒方向側に樋が配置される傾斜屋根との隣接部分に取り付けられる雨押え役物と、該雨押え役物の軒方向側に壁止り役物を配置するものであって、前記壁止り役物の誘導板は、前記雨押え役物の軒方向端縁と対向する位置に立設し、防御壁は前記雨押え役物の主板の表面より上方に位置する屋根構造を有することが好ましい。
【０００８】
また、本発明の壁止り役物を備えた屋根構造は、壁体と、その軒方向側に樋が配置される傾斜屋根との隣接部分に取り付けられる雨押え役物と、該雨押え役物の軒方向側に壁止り役物を配置するものであって、壁体は、外壁と構造壁とからなり、前記外壁と前記構造壁との間に通気層を有し、前記構造壁は傾斜屋根と接合し、前記外壁の下端はその一部又は全部が前記雨押え役物の上面から所定間隔を空けた通気口を有する通気構造であって、前記壁止り役物は、少なくとも、底板と、該底板の軒方向側縁と対向して立設する誘導板を有し、前記誘導板は、その全部または一部から前記底板側へ向いた庇部をもつ防御壁を有し、前記防御壁は、前記外壁の下端よりも上方に位置することを特徴とするものである。
【０００９】
また、雨押え役物は、少なくとも傾斜屋根と壁体との隣接部分に顕出する主板と、該主板が前記壁体と隣接する端部のもう一方の端部から傾斜屋根の表面に延長して接するツバ部を有し、誘導板は、前記主板と対向する部分においては前記主板の軒方向端縁若しくは前記壁体の下端から、前記ツバ部と対向する部分においては前記ツバ部の軒方向端縁から、前記傾斜屋根の勾配に沿って前記誘導板まで軒方向へ延長させた位置より上側に、上側延長部を有することが好ましい。
【００１０】
また、誘導板は、雨押え役物のツバ部の先端から誘導板まで軒方向へ延長した位置から、前記ツバ部の延長方向と同じ方向に延長し、前記ツバ部の先端まで若しくはそれよりも延長した横側延長部を有することが好ましい。
【発明の効果】
【００１１】
請求項１に記載の発明により、誘導板の防御壁で流水の跳ね返りを防止し、流水を適切に樋に誘導することができる。特に外壁の下端を伝って流水する小口流下水を適切に樋に誘導することができ、壁体への浸入を防止することができる。
また、防御壁の庇部により、シーリングの受け及びガイドの役割を果たすことができ、シーリングを施し易い。シーリングを施す場合に、ヘラおさえをすることができ、きれいにシーリングを納めることが可能になる。
【００１２】
請求項２に記載の発明により、雨押え役物を流れる流下水等を適切に樋に誘導し、壁体への浸入を防止する屋根構造とすることができる。
【００１３】
請求項３に記載の発明により、雨押え役物を流れる流下水等を適切に樋に誘導し、壁体への浸入を防止する屋根構造とすることができる。
また、外壁と構造壁との間に通気層を有する通気構造であっても、適切に流水を樋に誘導することにより、通気層内に流水の浸入を防止することができる。
【００１４】
請求項４に記載の発明により、雨押え役物の主板の表面を流れる主板流下水を適切に樋に誘導することができる。
【００１５】
請求項５に記載の発明により、雨押え役物のツバ部の軒先側から拡散して流水する拡散流下水を適切に樋に誘導することができる。
【図面の簡単な説明】
【００１６】
【図１】本発明の壁止り役物を用いた屋根構造の一例を示す斜視図である。
【図２】本発明の壁止り役物の一例を示す斜視図であって、（ａ）はその正面から右側に誘導板が位置するものであり、（ｂ）は左側に誘導板が位置するものである。
【図３】本発明の図２（ａ）に示す壁止り役物を組み合わせる前の状態を示す平面図である。
【図４】図２（ａ）の別角度から見た壁止り役物を示す斜視図であって、防御壁を取り外しできる防御壁の第２の実施形態を示すものである。
【図５】本発明の壁止り役物を用いた屋根構造に用いる雨押え役物の一例を示す斜視図である。
【図６】傾斜屋根に本発明の壁止り役物を取り付ける状態の一例を示す斜視図である。
【図７】傾斜屋根に壁止り役物以外の部材を取り付ける状態の一例を示す分解斜視図である。
【図８】本発明の壁止り役物を用いた屋根構造の一例を示す一部分解斜視図である。
【図９】図１の屋根構造のＺ方向から見た状態を示す参考図。
【図１０】外壁を切り欠いてシーリングを施す状態を示す一部分解斜視図である。
【図１１】本発明の壁止り役物を用いた屋根構造における流水状況を示す斜視図である。
【図１２】本発明の壁止り役物を用いる張り出し部分のある構造物の一例を示す斜視図である。
【発明を実施するための形態】
【００１７】
本発明を実施するための形態について、図面に沿って説明する。図１、９は本発明の壁止り役物を用いた状態の全体を、図２〜４は本発明の壁止り役物１を、図５は本発明の壁止り役物１を用いる屋根構造に使用する雨押え役物を、図６〜８は本発明の壁止り役物を用いる屋根構造の施工方法の一例を、図１０は施工において外壁を切り欠いてシーリングを施す状態の一例を、図１１は本発明の壁止り役物を用いた場合の流水の状況を、図１２は本発明に用いる構造物１０１の一例を示す。
【００１８】
図１２に示すように、本発明の壁止り役物１を用いた屋根構造は、構造物１０１の張り出し部分１０４において、壁体１０８と傾斜屋根１０３との隣接部分１０５、１０５であって、その軒側で、樋１０６に雨水を誘導するために壁止り役物１を取り付ける。
【００１９】
図１、９に示すように、近年の壁体１０８は、外壁１０２と構造壁１０７との間に通気層１１１を確保し、外壁１０２の下端１０２ａと、傾斜屋根１０３に取り付けられた雨押え役物３１の主板３２の上面と、の間に所定間隔を空けた通気口１１２が形成され、この通気口１１２から通気層１１１を通じて通気する通気構造を用いることが多い。この通気構造は、気密性が高い近年の建築物において、壁体１０８の内部で結露の発生を防止するために用いられる。このような壁体１０８の通気構造であっても、通気層１１１内に雨水が流入せずに、適切に雨水を樋１０６に導く屋根構造が必要である。なお、本発明の壁止り役物１は、この通気構造を有しない壁体１０８にも使用可能である。
【００２０】
本発明の屋根構造に用いる壁止り役物１は、図２に示すように、主に底板２と、底板２の側方から立ち上がる縦板３と、底板２の軒方向側（図２（ａ）の右手前側、図２（ｂ）の左手前側）から立ち上がる誘導板４と、底板２と誘導板４との間に形成される溝部５とからなる。本実施形態における壁止り役物１はガルバニウム鋼板を用いるものであるが、この材質でなくとも他の材質でもよい。
【００２１】
本実施形態に係る壁止り役物１は、図３に示すように、一枚の鋼板を所定寸法のもとに切断したうえ、各々折曲して形成する。具体的には、切断した鋼板のうち底板２と縦板３との間の折線を谷折りして縦板３を立ち上げる。折り返し板７ａと縦板３との折線を山折りし、折り返し板７ａと７ｂとの間の折線を谷折りして、２つの折り返し板７ａ、７ｂが縦板３の裏側に重なるようにし、係止片７ｃと押し返し板７ｂとの間の折線を谷折りして、縦板３の上縁に重ね合わせ、折り返し板７ａ、７ｂと縦板３との重なりを係止する。
【００２２】
また、底板２と傾斜面６との間の折線を山折りし、傾斜面６と溝部５との間の折線を谷折りすることにより、底板２から傾斜する三角形状の傾斜面６及び溝部５を形成することができる。そして、溝部５と誘導板４との間の折線を谷折りし、誘導板４を立ち上げる。  本発明の壁止り役物１は、上記の通り、所定寸法に裁断された鋼板を各々折曲して形成するものであるが、必ずしもこれに限定するものではなく、例えば誘導板４や溝部５を溶接固定するものやその他の成型方法であってもよい。
【００２３】
図２に示すように、折り曲げ状態を係止した壁止り役物１の底板２は、傾斜屋根１０３の上面に配置される平板状の部分であり、その軒方向側（図２（ａ）の右手前側、図２（ｂ）の左手前側）には、傾斜面６及び溝部５が形成される。傾斜面６は、いったん底板２の軒方向側一部を斜め下方に折り曲げて略三角形状にした部分であり、更にその軒方向側を平坦にした溝部５を形成される。傾斜面６により溝部５が底板２より低く位置することになり、溝部５は壁止り役物１を施工した場合に樋１０６の上方に位置し、流水を樋に誘導する。（図１参照）
【００２４】
壁止り役物１の縦板３は、底板２の一方の側縁から、上方へ立ち上がる面である。折り返し板７ａ、７ｂは縦板３の裏側に位置し、折り曲げた状態を係止片７ｃで係止している。後述の通り、この縦板３は構造壁１０７に接合するように配置される。
【００２５】
折り曲げ状態を係止した壁止り役物１の誘導板４は、溝部５の軒方向側縁を下辺とし、縦板３の軒方向側縁を側辺として、底板２の軒方向側の縁と略対向するように位置する。  略対向するとは、誘導板４は、底板２の上を流れる流下水と正対するように向ける（対向する）ように形成するが、必ずしも正確に正対するものではなく、それよりも誘導板４の向きを図２（ａ）の右側へ開くようにしてもよい。これにより、底板２の上に配置される雨押え役物３１の表面を流れる流水の誘導時に発生する跳ね返りを少なくすることができる。
【００２６】
折り曲げ状態を係止した壁止り役物１の底板２のうち縦板３のない側方縁、縦板３の上方縁、誘導板４の上方縁を、それぞれ折り返したカエシ２ａ、３ａ、４ａを折り曲げて形成する。このカエシ２ａ、３ａ、４ａにより、施工者が手を切る等の負傷を避けることができるとともに、流水の一部が流れ出ることを防止することができる。
【００２７】
誘導板４の一部を延長して防御壁１１を形成する。誘導板４の上方縁のうち縦板３付近の一部を下方に延長し、いったん雨押え役物３１の方向へ折曲する庇部１２を形成し、さらに下方に折曲して垂下壁１３を形成する。これにより、誘導板４の表面の一部が底面２側に位置することになる。本実施形態では、誘導板４の上方縁の一部を延長して防御壁１１を形成するが、誘導板４の上端縁全部を延長して防御壁を形成するものであってもよい。
【００２８】
図４に示すように、防御壁１１は、その他の実施形態として、防御壁１１自体を誘導板４とは別部材として成型し、誘導板４の上端縁に嵌め込んで使用するものであってもよい。  これは、防御壁１１の上端縁にフック状の固定部１４を形成し、その固定部１４を誘導板４に設置するその上端の配置部分に嵌め込む。その他、溶接やビス等により配置、固定するものであってもよい。
【００２９】
防御壁１１のその他の実施形態として、図示しないが、誘導板４の上端縁から下方へ延長せず、誘導板４の上端縁と同じ高さで雨押え役物３１の方向へ延長する庇部１２を有するものであってもよい。
【００３０】
また、防御壁１１の庇部１２の先端から延長して折曲する垂下壁１３との折曲は、直角よりも１０度程度の角度をつけた鋭角に折曲するものであるが、これに限定されず、直角に折曲したり、若干鈍角に折曲するものであってもよい。なお、その他の実施態様として、垂下壁１３を有しない庇部１２のみである実施形態であってもよい。
【００３１】
防御壁１１の庇部１２、垂下壁１３の横方向（幅方向・図４の左右方向）の長さは、４０ｍｍ程度が好ましいが、これに限定されない。その他の実施形態の防御壁の横方向長さとして、誘導板４の横方向長さの３分の１ないし４分の１程度の長さを有するものであってもよく、誘導板４の横方向長さと同じものや、その２分の１程度、さらには６分の１程度の長さのものであってもよい。
【００３２】
防御壁１１の位置は少なくとも、外壁１０２の下端１０２ａから、傾斜屋根１０３の傾斜方向に沿って延長した部分にあって、外壁１０２と対向する位置にある。これは後述の通り、防御壁１１の主たる目的が、小口流下水Ｃ１の跳ね返りを防ぎ、樋１０６へ適切に誘導することにあるためである（図１１参照）。
【００３３】
また、誘導板４は従来の誘導板に比べて、上下方向（図２（ａ）、（ｂ）の上下方向）の上側に延長する上側延長部２１が形成され、横方向（図２（ａ）、（ｂ）の左右方向）の左側に延長する横側延長部２２が形成される。この上側延長部２１、横側延長部２２については後述する。
【００３４】
図２（ａ）に示す本発明の壁止り役物１を用いた屋根構造の施工について、図６〜図８、図９に示して説明する。各部材の配置、固定手段は、釘打ち、ネジ固定、接着等の通常行われる手段を用いる。図２（ｂ）に示す本発明の壁止り役物１は左右対称の位置に施工するものであり、その施工方法は同じである。
なお、図１２に示す隣接部分１０５、１０５では、壁体１０８は、壁止り役物１を配置する位置より、更に軒方向（図１２の左右方向）へ延長されている。しかし、図１、図６〜図９、図１１においては施工説明のため、壁止り役物１の配置する位置に壁体１０８の一端が位置するものを示す。壁体１０８が更に軒方向へ延長される場合に、壁止り役物１の配置部分を確保するための壁体１０８の外壁１０２の切り欠き部分４１及びシーリング４２は図１０に示して後述する。
【００３５】
図６に示すように、傾斜屋根１０３の野地板１２１から構造壁１０７の下端部分にかけて、シート状の下葺き材１２２を張り付ける。そして、壁止り役物１は、下葺き材１２２を張った状態において、傾斜屋根１０３と構造壁１０７との隣接付近で、その軒側に取り付ける。壁止り役物１の溝部５は傾斜屋根１０３の軒側から露出して、樋１０６（省略）の上側となるように位置させる。本実施形態では、壁止り役物１の構造壁１０７側と傾斜屋根１０３側に取り付けた吊り子留め部材８、８を用いて固定するが、この吊り子留め部材８、８を用いずに直接ネジや釘留めして固定してもよい。
【００３６】
図６、７に示すように、傾斜屋根１０３に張り付けた下葺き材１２２の上から、構造壁１０７との接合付近に角木の受桟１２３を配置する。次に、受桟１２３を覆うように、捨板水切１２４を配置する。捨板水切１２４は、中央部分１２４ｂが受桟１２３を覆い、その側方から上方に立ち上がる部分が構造壁１０７に張り付けられた下葺き材１２２側に配置され、もう一方の側方に延長したツバ部１２４ａが傾斜屋根１０３の野地板１２１に張り付けられた下葺き材１２２の上に配置される。
【００３７】
傾斜屋根１０３の下葺き材１２２の上から、屋根材１２５を敷き詰めて固定する。この屋根材１２５は、壁体１０８の付近では、捨板水切１２４のツバ部１２４ａの上に重なるように位置するが、捨板水切１２４の中央部分１２４ｂには重ならない。
【００３８】
この捨板水切１２４の中央部分１２４ｂの上側に位置するように、角木の笠木１２６を配置する。そして、笠木１２６を覆うように、雨押え役物３１を配置する。雨押え役物３１は、その主板３２が笠木１２６の上側を覆うようにし、その側方から立ち上がる縦板３３が構造壁１０７に張り付けられた下葺き材１２２と接し、もう一方の側方から延長するツバ部３４が屋根材１２５の上面に接する。
【００３９】
この雨押え役物３１は、図５に示すように、長手方向に所定長さを有する主板３２と、主板３２の側方縁を上方に折曲して延長形成する縦板３３と、主板３２の縦板３３がない側方縁をいったん下方に折曲し、さらに主板３２と並行する方向に折曲して延長するツバ部３４が形成される。縦板３３の上縁とツバ部３４の端縁を折り返したカエシ３３ａ、３４ａがそれぞれ形成され、施工者が負傷しないように配置されている。
【００４０】
図８、９に示すように、外壁１０２は、雨押え役物３１の主板３２の上方に位置するが、外壁１０２の下端１０２ａは、雨押え役物３１の主板３２と接するものではなく、両者の間は解放されており、この部分が通気層１１１に通じる通気口１１２となる。外壁１０２と構造壁１０７との間の通気層１１１には、雨押え役物３１の縦板３３、壁止り役物１の縦板３が構造壁１０７に接した状態で、組み込まれるよう配置される。
【００４１】
壁止り役物１の配置する部分に壁体１０８の外壁１０２を一部切り欠き、通気層に雨水や流水が浸入しないように施すシーリングについて説明する。図１０に示すように、壁止り役物１を配置し、特に誘導板４の配置部分を確保するために、外壁１０２を一部切り欠いて、切欠部分４１を形成する。壁止り役物１を配置した後に、切欠部分４１にバックアップ材を充填し、シーリング４２を施す。このシーリング４２は、従来、外壁１０２の切り欠いた部分全体に施すために、養生テープ等により下に垂れ下がらないように堰止めをする等、手間がかかっていた。しかし、本実施形態の壁止まり役物１の防御壁１１の庇部１２がシーリング４２の受け及びバックアップ材のガイドの役割を果たすため、ヘラ押さえの工程も含め、容易かつきれいにシーリング４２を施すことが可能になる。
【００４２】
本発明の壁止り役物１を用いた屋根構造における流水の誘導について説明する。図１１に示すように、雨押え役物３１の主板３２の表面は、一般的には金属板であるため、屋根材１２５よりも風雨が抵抗なく流れやすい。そのため、激しい風を伴い、大量の風雨が伴うような激しい気象環境下では、風雨が矢印線Ａ１の方向に流れる主板流下水Ａ１が発生する。この主板流下水を適切に樋１０６に誘導し、構造壁１０７側に流入することを防ぐ必要がある。
【００４３】
主板流下水Ａ１のみならず、ツバ部３４の表面も風雨が流れるツバ部流下水Ｂ１の発生が判明している。ツバ部３４も、主板３２と同様に一般的には金属板であり、屋根材２５よりも抵抗が少なく、風雨が流れやすいためである。
【００４４】
また、ツバ部流下水Ｂ１は、雨押え役物３１の軒先側において、右手前側に広がって流れる拡散流下水Ｂ２が発生する。これは、通常は、ツバ部流下水Ｂ１は、樋１０６までツバ部３４の表面を流れ、樋１０６に流入し、矢印線Ｄの方向へ沿って流れる。しかし、気象条件が悪化し、流量が多くなると、矢印線Ｄ方向に流れる流水に沿って、樋１０６への流入付近で、放射状に拡散することが判明している。この拡散流下水Ｂ２も適切に樋１０６に誘導する必要がある。
【００４５】
さらに、下屋根が勾配屋根の場合、外壁１０２からの流下水で小口流下水Ｃ１が発生することが判明した。この小口流下水とは、通気層１１１を有する壁体１０８では、外壁１０２の下端１０２ａを伝って、多くの風雨が軒方向（Ｃ１の矢印方向）に向かって流れることをいう。
【００４６】
これらの雨水を適切に樋１０６に誘導するため、壁止り役物１の誘導板４は、従来の誘導板と比べて、上側延長部２１、横側延長部２２、防御壁１１を形成した形態とする。つまり、その高さ（図１１の上下方向）は、少なくとも、流量が大幅に増加した主板流下水Ａ１に対処するため、雨押え役物３１の主板３２の表面から、傾斜屋根１０３の勾配角度に沿って軒方向へ延長し、誘導板４の表面に当たる部分Ａ３より高いことが必要である。
【００４７】
また、小口流下水Ｃ１に対処するため、誘導板４の高さは、少なくとも、外壁１０２の下端１０２ａから、傾斜屋根１０３の勾配角度に沿って軒方向（Ｃ１の矢印方向）へ延長し、誘導板４の表面に当たる部分Ｃ３より高いことが必要である。このＣ３の位置は、一般的な誘導板であればＡ３の位置より高くなるが、誘導板の形態によってはこの条件を満たすことが必要である。
【００４８】
主板流下水Ａ１と同じく、ツバ部流下水Ｂ１に対処するため、ツバ部３４の表面から傾斜屋根１０３の勾配角度に沿って軒方向へ延長し、誘導板４の表面に当たる部分Ｂ３より高いことが必要である。
【００４９】
誘導板４は、これらＡ３、Ｂ３、Ｃ３の位置よりも高い位置になるように、上側延長部２１を形成する。この上側延長部２１の存在により、流量が増加した主板流下水Ａ１、ツバ部流下水Ｂ１、小口流下水Ｃ１が、誘導壁４を乗り越えず、適切に樋１０６に誘導することができる。
【００５０】
上側延長部２１の高さ、供給水量、樋誘導率について、流下水量を分けて実験した結果を表１に示す。なお、同表における誘導板高さとは雨押え役物３１の主板３２の表面からの誘導板４の高さを示し、外装材差込高さとは外壁１０２の下端１０２ａから誘導板４の高さを示す。この実験では、傾斜屋根に対して均等な散水がされるよう小孔を１０ｍｍ間隔で配置した１２００ｍｍのパイプを軒先から２００ｍｍ離して上方に配置し、流下水量を一定に保つため水圧を制御し、線状に流下させた。流下水量は１分当たり４リットル（一般的な雨に相当）及び８リットル（夏の夕立に相当）の２種類を行い、計測時間は５分間とした。
【００５１】
【表１】
0006308932.tif 000002
【００５２】
上記実験結果から、所定の高さを有する上側延長部２１がない場合には、水量が多い場合に誘導板４を超えて、樋１０６に適切に流入しないことが分かる。誘導板高さは、通気口幅を１５ｍｍとした場合、２５ｍｍの高さがあることが好ましい。一般に通気口１１２は１０〜１５ｍｍ程度の高さを取ることから、Ｃ３から１０〜１５ｍｍの上側延長部２１が形成されることとなる。
【００５３】
また、ツバ部３４の拡散流下水Ｂ２に対処するため、誘導板４の横方向（図１１の右手前方向）の長さを、雨押え役物３１のツバ部３４が延長する方向と同じ方向に延長した横側延長部２２を形成する。
【００５４】
従来の誘導板は、その横方向が雨押え役物のツバ部の先端に対応する位置まで及んでいなかった。これは、拡散流下水Ｂ２の存在を意識せず、対応する意図がなかったためであるが、拡散流下水Ｂ２に対処する必要から、雨押え役物３１のツバ部３４の先端３４ａに対応する位置Ｂ４よりも、誘導板４の横方向長さを延長する横側延長部２２を形成する。
【００５５】
具体的には、一般的な雨押え役物３１の縦壁３３が形成される端部からツバ部３４の先端までの幅方向長さが１３０ｍｍであるところ、誘導板４の幅方向長さは１５０ｍｍの長さを形成し、２０ｍｍの横側延長部２２を形成することが好ましい。
【００５６】
防御壁１１は、流下水の適切な樋１０６へ誘導が可能になる効果がある。つまり、防御壁１１の庇部１２が誘導板４より雨押え役物３１の方向へ形成されていることから、流量が多い場合に、樋１０６からの跳ね上がりを防止することができる。また、防御壁１１の垂下壁１３の下端１３ａが、外壁１０２の下端１０２ａから傾斜屋根の傾斜方向に沿って誘導板４まで延長した位置（Ｃ３）よりも、上方に位置する。これにより、小口流下水Ｃ１が流れてきた場合であっても、防御壁１１の下端１３ａが水切りのように機能し、適切に樋１０６に誘導することができ、誘導板４で跳ね返って通気層１１１へ流水の浸入を防止することができる。このように、小口流下水Ｃ１は主板流下水Ａ１よりも上方にあり、外壁１０２の下端１０２ａを伝って流れるものであるため、通気層１１１内への浸入の可能性が高かったが、これを適切に樋１０６に流入させることで通気層１１１内への浸入を防ぐことができる。
【符号の説明】
【００５７】
１…壁止り役物、２…底板、４…誘導板、１１…防御壁、１２…庇部、１３…垂下壁、２１…上側延長部、２２…横側延長部、３１…雨押え役物、３２…主板、３３…縦板、３４…ツバ部、３４ａ…先端、１０１…構造物、１０２…外壁、１０２ａ…下端、１０３…傾斜屋根、１０５…隣接部分、１０６…樋、１０７…構造壁、１０８…壁体、１１１…通気層、１１２…通気口
【図１】
0006308932.tif 000003
【図２】
0006308932.tif 000004
【図３】
0006308932.tif 000005
【図４】
0006308932.tif 000006
【図５】
0006308932.tif 000007
【図６】
0006308932.tif 000008
【図７】
0006308932.tif 000009
【図８】
0006308932.tif 000010
【図９】
0006308932.tif 000011
【図１０】
0006308932.tif 000012
【図１１】
0006308932.tif 000013
【図１２】
0006308932.tif 000014